【事件の表示】
　特願２０１７−５３８３７２「ユニバーサルシリアルバス管理」拒絶査定不服審判事件〔平成２８年１０月２０日国際公開、ＷＯ２０１６／１６７８０２、平成３０年　６月　７日国内公表、特表２０１８−５１４８２５、請求項の数（１３）〕について、次のとおり審決する。
【結　論】
　原査定を取り消す。
　本願の発明は、特許すべきものとする。
【理　由】
第１　手続の経緯
　本願は、２０１５年（平成２７年）４月１７日を国際出願日とする出願であって、平成３０年９月１４日付けで拒絶理由通知がされ、平成３０年１２月１０日に意見書が提出されるとともに手続補正がされ、令和元年５月９日付けで拒絶査定（原査定）がされ、これに対し、令和元年９月１７日に拒絶査定不服審判の請求がされると同時に手続補正がされ、令和２年９月２９日付けで拒絶理由（当審拒絶理由）通知がされ、令和３年２月１日に意見書が提出されるとともに手続補正がされたものである。
第２　本願発明
　本願請求項１ないし１３に係る発明（以下、それぞれ「本願発明１」ないし「本願発明１３」という。）は、令和３年２月１付けの手続補正で補正された特許請求の範囲の請求項１ないし１３に記載された事項により特定される発明であり、本願発明１ないし１３は以下のとおりの発明である。（なお、下線は、補正された箇所を示す。）
「　　【請求項１】
　ユニバーサルシリアルバスを管理する方法であって、
　ユニバーサルシリアルバスハブコントローラに接続されたデバイスを検知するステップと、
　前記デバイスからユニバーサルシリアルバス情報スキームを、通信リソースを用いてフェッチするステップと、
　前記ユニバーサルシリアルバス情報スキームを通じて前記デバイスの所要電力を求めるステップと、
　前記ユニバーサルシリアルバスハブコントローラに接続された複数のデバイスの総電力消費を、処理リソースを用いて計算するステップと、
　表示するユニバーサルシリアルバス情報スキームデータを求めるとともに、表示する該ユニバーサルシリアルバス情報スキームデータを表示するロケーションを含むデータ表示配置を求めるステップと、
　該求められたデータ表示配置による前記ユニバーサルシリアルバス情報スキームと、前記総電力消費と、前記ユニバーサルシリアルバスハブコントローラに接続された前記デバイス
を
する優先度
、前記ユニバーサルシリアルバスコントローラに接続された前記デバイス
（ｍｏｎｉｔｏｒ　ｓｃａｌａｒ）
　前記ハブコントローラに接続された前記複数のデバイスのうち前記ユーザ設定に従って使用することを選択したデバイスについての総電力消費に基づいて前記デバイスに電力を分配するとともに、前記ユニバーサルシリアルバス情報スキームと前記ユーザ設定とに基づいて前記複数のデバイスの各データ伝送レートでデータを伝送するステップと、
を含む、方法。
　　【請求項２】
　前記求められたデータ表示配置による前記ユニバーサルシリアルバス情報スキームをビデオコンテンツと多重化するステップを更に含む、請求項１に記載の方法。
　　【請求項３】
　前記ユーザ設定は、電力分配プリファレンスである、請求項１に記載の方法。
　　【請求項４】
　前記ユーザ設定は、デバイス電池レベルに基づく、請求項３に記載の方法。
　　【請求項５】
　前記ユニバーサルシリアルバスハブコントローラは、ユニバーサルシリアルバスタイプＣレセプタクルに接続される、請求項１に記載の方法。
　　【請求項６】
　ユニバーサルシリアルバス管理システムであって、
　電源装置と、
　ユニバーサルシリアルバスハブコントローラと、
　ユニバーサルシリアルバスレセプタクルと、
　モニタスカラ
（ｍｏｎｉｔｏｒ　ｓｃａｌａｒ）
を備え、
　前記ユニバーサルシリアルバスハブコントローラは、デバイスから前記ユニバーサルシリアルバスレセプタクルを通じてユニバーサルシリアルバス情報スキームを受信し、別のデバイスからの少なくとも１つの他のユニバーサルシリアルバス情報スキームとともに、表示する前記ユニバーサルシリアルバス情報スキームを表示するロケーションを含むユニバーサルシリアルバスデータの表示配置を求め、
　前記モニタスカラは、前記ユニバーサルシリアルバスハブコントローラに接続された前記デバイスを使用
する優先度
、前記ユニバーサルシリアルバスコントローラに接続された前記デバイス
　前記ユニバーサルシリアルバスハブコントローラは、前記ユーザ設定に従って使用することを選択したデバイスの総電力消費レベルに基づいて前記デバイスに電力を分配するとともに、前記デバイスの前記ユニバーサルシリアルバス情報スキームと前記ユーザ設定とに基づいて前記デバイスの各データ伝送レートでデータを伝送する、
システム。
　　【請求項７】
　前記ユニバーサルシリアルバスデータとビデオデータとを多重化するマルチプレクサを更に備える、請求項６に記載のシステム。
　　【請求項８】
　前記ユニバーサルシリアルバスハブコントローラは、Ｉｎｔｅｒ−Ｉｎｔｅｇｒａｔｅｄ　Ｃｉｒｃｕｉｔである、請求項６に記載のシステム。
　　【請求項９】
　前記ユニバーサルシリアルバスレセプタクルは、タイプＣレセプタクルである、請求項６に記載のシステム。
　　【請求項１０】
　ユニバーサルシリアルバスを管理するコンピュータプログラムが記憶された非一時的コンピュータ可読記憶媒体であって、前記コンピュータプログラムは、
　ユニバーサルシリアルバスハブコントローラに接続されたデバイスを検知する命令と、
　前記デバイスのポートタイプと、前記デバイスがホストに接続されているポートの物理ロケーションに対応するポートのロケーションとを求める命令と、
　前記デバイスからユニバーサルシリアルバスデータスキームをフェッチする命令と、
　前記ユニバーサルシリアルバスデータスキームを通じて前記デバイスのデータ伝送要件を求める命令と、
　
前記ユニバーサルシリアルバスコントローラに接続されたデバイス
表
　前記ユニバーサルシリアルバスデータスキームと、前記デバイスの総電力消費レベルと、前記ユニバーサルシリアルバスハブコントローラに接続された前記デバイス
を
する優先度
、
前記デバイス
（ｍｏｎｉｔｏｒ　ｓｃａｌａｒ）
　前記ユーザ設定に従って使用することを選択したデバイスの総電力消費レベルに基づいて前記デバイスに電力を分配するとともに、前記デバイスの前記ユニバーサルシリアルバスデータスキームと前記ユーザ設定とに基づいて前記デバイスの各データ伝送レートをネゴシエートする命令と、
の一組の命令を含む、非一時的コンピュータ可読記憶媒体。
　　【請求項１１】
　
前
前記ユーザ設定と、前記データスキームと、
　　【請求項１２】
　前記ユーザ設定は、データ伝送優先プリファレンスに基づく、請求項１０に記載の非一時的コンピュータ可読記憶媒体。
　　【請求項１３】
　前記ユーザ設定は、データ伝送レートプリファレンスに基づく、請求項１０に記載の非一時的コンピュータ可読記憶媒体。」
　なお、請求項１に記載の「ユニバーサルシリアルバス情報スキーム
データ
前記
　また、本願発明２ないし５は、本願発明１を減縮した発明であり、本願発明６（「システム」に係る発明）及び１０（「非一時的コンピュータ可読記憶媒体」に係る発明）は、それぞれ本願発明１に対応し、実質的にはカテゴリ表現が異なるだけの発明であり、請求項７ないし９及び請求項１１ないし１３はそれぞれ、請求項６又は１０を減縮した発明である。
第３　原査定の概要
　原査定の概要は次のとおりである。
　本願請求項１ないし１４に係る発明は、以下の引用文献１ないし４に記載された発明に基づいて、その発明の属する技術の分野における通常の知識を有する者（以下、「当業者」という。）が容易に発明することができたものであるから、特許法第２９条第２項の規定により特許を受けることができない。
［引用文献等一覧］
１　国際公開第２００５／０２２３６９号
２　特開２００３−０２９８８５号公報
３　特開平１０−１１６１３９号公報
４　特開２０１２−０６３８１７号公報
第４　当審拒絶理由の概要
　当審拒絶理由の概要は次のとおりである。
［理由１］サポート要件違反
　本願請求項1ないし１３に係る発明において、「デバイスの使用の可否をユーザに選択させるユーザ設定」を「表示」すること、及び、「前記ユーザ設定に従って使用することを選択したデバイス」は、発明の詳細な説明に記載したものではないから、特許法第３６条第６項第１号に規定する要件を満たしていない。
［理由２］明確性要件違反
　本願請求項１、６及び１０における「オンスクリーン表示」、「スクリーン」及び／又は「オンスクリーンメニュー」に関する記載は明確ではなく、また、本願請求項４、１２及び1３における「ユーザ設定」に関する記載は明確ではなく、引用形式の請求項を含め、本願請求項１ないし１３に係る発明は、明確ではないから、特許法第３６条第６項第２号に規定する要件を満たしていない。
第５　引用文献、引用発明等
１　引用文献１について
ア　引用文献１記載事項
　原査定の拒絶の理由に引用された引用文献１には、図面とともに次の事項が記載されている。
「[0001]　本発明は、
ホスト装置と複数のデバイスとがシリアル通信を行うためのバスを介して接続され、該ホスト装置のバス給電によって各デバイスを動作させる通信システムに用いられるホスト装置、デバイス、通信システムの制御方法
「[0002]　パーソナルコンピュータの分野では、シリアルバスインターフェース規格であるＵＳＢ２．０／１．１の規格に準拠した
ＵＳＢ（ユニバーサルシリアルバス）
「[0094]　以下、本発明を具体化した第５実施形態を図面に従って説明する。図１５は、第５実施形態のホスト装置５１の概略的なブロック回路図である。
　
ホスト装置
５１は、ＭＰＵ５２、メモリ５３、ホストコントローラ５４、電流供給回路５５、及びディスプレイ５６を含む。ホスト装置５１において、ＭＰＵ５２は、メモリ５３、ホストコントローラ５４、電流供給回路５５、及びディスプレイ５６に内部バス５７を介して接続され、相互にデータの授受が行われる。また、ホスト装置５１には、ＵＳＢデバイスを接続するための第１〜第１０の通信ポートＰ１〜Ｐ１０が設けられている
[0095]　
制御回路であるＭＰＵ５２は、メモリ５３に格納されたプログラムに従って各種の処理を実行し、ホスト装置５１を統括的に制御する
メモリ５３に格納されるプログラムは、ホストコントローラ５４や電流供給回路５５を制御する通信プログラムと、各通信ポートＰ１〜Ｐ１０に接続されている各デバイスの機器情報をＧＵＩ
形式でディスプレイ５６に表示する表示プログラムとを含む
[0096]　
ホストコントローラ５４は、ＵＳＢ規格に準拠した通信回路であり、各通信ポートＰ１〜Ｐ１０に接続されたデバイスとの間の通信を制御する
ホストコントローラ５４にはレジスタ５４ａが設けられており、該レジスタ５４ａに各通信ポートＰ１〜Ｐ１０に接続されたデバイスの機器情報が格納される
具体的には、ホスト装置５１は、通信ポートＰ１〜Ｐ１０のいずれかにデバイスが接続されたとき、その接続を認識するためにデバイスとの間でネゴシエーションを行い、それにより得られた機器情報をレジスタ５４ａに格納する
[0097]　
電流供給回路５５は、レジスタ５４ａの機器情報に含まれる最大消費電流を通信ポートに接続されているデバイスに供給する
[0098]　
ＭＰＵ５２は、アプリケーションプログラム（表示用のプログラム）を実行することにより、ホストコントローラ５４のレジスタ５４ａに格納されている機器情報を読み出し、ステータスウインドウを表示装置であるディスプレイ５６に表示する
[0099]　
具体的には、
ホスト装置５１に複数のデバイス６１〜６７が接続されている場合には、
ステータスウインドウＷ１をディスプレイ５６に表示する
ＵＳＢファンクション（ＵＳＢ通信機能）を内蔵したＵＳＢデバイス
それぞれＵＳＢケーブルＣ１を介してホスト装置５１の各通信ポートに接続されている
[0100]　なお、第５実施形態において、
プリンタ６２
その他のデバイスはＵＳＢのバス給電により動作するバスパワーデバイスである
[0101]
　図１７に示すように、ディスプレイ５６に表示された
ステータスウインドウＷ１には、セレクタ、ポート番号（Ｐｏｒｔ　Ｎｏ．）、装置名、メーカー、消費電流（ｍＡ）、状態の各項目欄が設けられている。装置名、メーカー、消費電流は、ホストコントローラ５４のレジスタ５４ａに記憶された機器情報に基づいて通信ポート毎に表示される
…（中略）…
[0103]　
セレクタの欄には、各通ポートに接続されるデバイスをオン状態又はオフ状態（使用状態又は未使用状態）のいずれかに切り替えるための選択ボタンが設けられている
[0104]　
通信ポートＰ１〜Ｐ４，Ｐ９のオンボタンが選択されると、デバイス６１〜６４，６７が要求する消費電流が電流供給回路５５から供給され、該デバイスにおけるＵＳＢファンクションが活性化される
[0105]　
一方、通信ポートＰ５，Ｐ８のオフボタンが選択されると、デバイス６５，６６が要求する消費電流が電流供給回路５５から供給されることはなく、該デバイス６５，６６のＵＳＢファンクションが停止（非活性化）される
[0106]　また、未使用の通信ポートＰ６，Ｐ７，Ｐ１０については、消費電流の要求値及び現在値には０ｍＡが表示され、状態の欄には「Ｎｏｔ　Ｕｓｅ」が表示されている。
　さらに、
ステータスウインドウＷ１の下方には、全ポートの要求消費電流と使用電流と許容電流と余裕電流とを表示するための表示欄が設けられている。ここで、要求消費電流は全ての通信ポートの要求値を合計した電流であり、使用電流は全てのポートの現在値を合計した電流である。
「[0109]　そこで、第５実施形態では、図１８に示すように、
ホスト装置の通信ポートＰ６，Ｐ７，Ｐ１０に新規のデバイス（ハードディスク７１，７２、Ｈｕｂ７３）が接続されたとき、
情報の授受のみを実行する
その情報の授受により得られた機器情報に基づいて、
ステータスウインドウＷ２を表示する
…（中略）
[0111]　また、ステータスウインドウＷ２において、要求消費電流は３４５０ｍＡ、使用電流は１７５５ｍＡ、許容電流は２５００ｍＡ、余裕電流は７４５ｍＡである。
　ステータスウインドウＷ２をディスプレイ５６に
表示させて、ホスト装置５１を操作するユーザに各デバイスを使用するか否かの判断を求める
ここで、ユーザがステータスウインドウＷ２に表示されている許容電流に留意し、
直ぐに使わない光ディスク６４とＤＳＣ６７におけるオフボタンを選択した後、新規に接続したハードディスク７１，７２とＨｕｂ７３におけるオンボタンを選択する
「[0118]　また、図１８に示すように、
ユーザが各通信ポートＰ６，Ｐ７，Ｐ１０にハードディスク７１，７２、Ｈｕｂ７３を順次接続する場合
ディスプレイ５６には
ステータスウインドウＷ２が表示される
[0119]　
ユーザがステータスウインドウＷ２におけるセレクタ欄のボタンを選択する
選択された通信ポートについて電流供給回路５５から供給する電流を変更する。
状態の欄の変更が行われるとともに、消費電流に関する計算（使用電流と余裕電流の計算）が行われる
ステータスウインドウＷ３が表示される
「［図１５］
」
「［図１７］
」
「［図１９］
」  
  
「［図２０］
」
イ　引用発明
　したがって、上記引用文献１には次の発明（以下、「引用発明」という。）が記載されていると認められる。
「　ホスト装置と複数のデバイスとがシリアル通信を行うためのバスを介して接続され、該ホスト装置のバス給電によって各デバイスを動作させる通信システムに用いられるホスト装置、デバイス、通信システムの制御方法であって、
　ホスト装置５１は、ＭＰＵ５２、メモリ５３、ホストコントローラ５４、電流供給回路５５、及びディスプレイ５６を含み、
　ホスト装置５１において、ＭＰＵ５２は、メモリ５３、ホストコントローラ５４、電流供給回路５５、及びディスプレイ５６に内部バス５７を介して接続され、相互にデータの授受が行われ、
　ホスト装置５１には、ＵＳＢ（ユニバーサルシリアルバス）デバイスを接続するための第１〜第１０の通信ポートＰ１〜Ｐ１０が設けられており、
　制御回路であるＭＰＵ５２は、メモリ５３に格納されたプログラムに従って各種の処理を実行し、ホスト装置５１を統括的に制御し、
　メモリ５３に格納されるプログラムは、ホストコントローラ５４や電流供給回路５５を制御する通信プログラムと、各通信ポートＰ１〜Ｐ１０に接続されている各デバイスの機器情報をＧＵＩ形式でディスプレイ５６に表示する表示プログラムとを含み、
　ホストコントローラ５４は、ＵＳＢ規格に準拠した通信回路であり、各通信ポートＰ１〜Ｐ１０に接続されたデバイスとの間の通信を制御し、
　ホストコントローラ５４にはレジスタ５４ａが設けられており、該レジスタ５４ａに各通信ポートＰ１〜Ｐ１０に接続されたデバイスの機器情報が格納され、具体的には、ホスト装置５１は、通信ポートＰ１〜Ｐ１０のいずれかにデバイスが接続されたとき、その接続を認識するためにデバイスとの間でネゴシエーションを行い、それにより得られた機器情報をレジスタ５４ａに格納し、
　電流供給回路５５は、レジスタ５４ａの機器情報に含まれる最大消費電流を通信ポートに接続されているデバイスに供給し、
　ＭＰＵ５２は、アプリケーションプログラム（表示用のプログラム）を実行することにより、ホストコントローラ５４のレジスタ５４ａに格納されている機器情報を読み出し、ステータスウインドウを表示装置であるディスプレイ５６に表示し、具体的には、ホスト装置５１に複数のデバイス６１〜６７が接続されている場合には、ステータスウインドウＷ１をディスプレイ５６に表示し、複数のデバイスは、ＵＳＢファンクション（ＵＳＢ通信機能）を内蔵したＵＳＢデバイスであり、それぞれＵＳＢケーブルＣ１を介してホスト装置５１の各通信ポートに接続され、プリンタ６２以外のデバイスはＵＳＢのバス給電により動作するバスパワーデバイスであり、
　ステータスウインドウＷ１には、セレクタ、ポート番号（Ｐｏｒｔ　Ｎｏ．）、装置名、メーカー、消費電流（ｍＡ）、状態の各項目欄が設けられており、装置名、メーカー、消費電流は、ホストコントローラ５４のレジスタ５４ａに記憶された機器情報に基づいて通信ポート毎に表示され、
　セレクタの欄には、各通信ポートに接続されるデバイスをオン状態又はオフ状態（使用状態又は未使用状態）のいずれかに切り替えるための選択ボタンが設けられており、
　ユーザが各通信ポートＰ６，Ｐ７，Ｐ１０にハードディスク７１，７２、Ｈｕｂ７３を順次接続する場合、ディスプレイ５６にはステータスウインドウＷ２が表示され、
　通信ポートＰ１〜Ｐ４，Ｐ９のオンボタンが選択されると、デバイス６１〜６４，６７が要求する消費電流が電流供給回路５５から供給され、該デバイスにおけるＵＳＢファンクションが活性化され、一方、通信ポートＰ５，Ｐ８のオフボタンが選択されると、デバイス６５，６６が要求する消費電流が電流供給回路５５から供給されることはなく、該デバイス６５，６６のＵＳＢファンクションが停止（非活性化）され、
　ステータスウインドウＷ１の下方には、全ポートの要求消費電流と使用電流と許容電流と余裕電流とを表示するための表示欄が設けられ、ここで、要求消費電流は全ての通信ポートの要求値を合計した電流であり、使用電流は全てのポートの現在値を合計した電流であり、
　ホスト装置の通信ポートＰ６，Ｐ７，Ｐ１０に新規のデバイス（ハードディスク７１，７２、Ｈｕｂ７３）が接続されたとき、情報の授受のみを実行し、その情報の授受により得られた機器情報に基づいてステータスウインドウＷ２を表示して、ホスト装置５１を操作するユーザに各デバイスを使用するか否かの判断を求め、ここで、ユーザがステータスウインドウＷ２に表示されている許容電流に留意し、直ぐに使わない光ディスク６４とＤＳＣ６７におけるオフボタンを選択した後、新規に接続したハードディスク７１，７２とＨｕｂ７３におけるオンボタンを選択し、
　ユーザがステータスウインドウＷ２におけるセレクタ欄のボタンを選択すると、選択された通信ポートについて電流供給回路５５から供給する電流を変更し、状態の欄の変更が行われるとともに、消費電流に関する計算（使用電流と余裕電流の計算）が行われ、ステータスウインドウＷ３が表示される、
　ホスト装置、デバイス、通信システムの制御方法。」
２　引用文献２ないし４について
（１）引用文献２について
　原査定の拒絶の理由に引用された引用文献２には、図面とともに次の技術的事項が記載されている。
「【０００１】
【発明の属する技術分野】本発明は、例えば
パーソナルコンピュータ装置とその周辺機器とで構成されるシステムに適用して好適な電源供給システム
「【００１１】
【課題を解決するための手段】本発明は、
それぞれがバッテリを備えた一方及び他方の電子機器を、電源供給可能なラインで接続させた場合に、それぞれの電子機器の状況を監視して、その監視結果に応じて、接続されたラインで、一方の電子機器から他方の電子機器に電源を供給する場合と、他方の電子機器から一方の電子機器に電源を供給する場合と、電源供給を行わない場合とを選択するようにした
（２）引用文献３について
　原査定の拒絶の理由に引用された引用文献３には、図面とともに次の技術的事項が記載されている。
「【０００１】
【発明の属する技術分野】本発明はコンピューター装置に接続されるディスプレイ装置に関するものであり、具体的には
内部に設置された電源供給装置から提供される電源をＵＳＢハブを通じてハブ接続される周辺器機に選択的に供給することができるモニター装置
「【００５２】また本発明の
モニター装置１１ａに適用されたハブシステムは
モニター制御部１９と
Ｉ２Ｃ
を通じて接続されており
（３）引用文献４について
　原査定の拒絶の理由に引用された引用文献４には、図面とともに次の技術的事項が記載されている。
「【０００１】
　本発明は、例えばＵＳＢ（Universal Serial Bus）インターフェースのように通信速度の異なる複数の転送方式に切り替え可能な通信装置に関する。」
「【００３４】
　第二の通信手段としてのＤＳ・リンク制御部１４は、ファンクションデバイス（外部メモリーカードコントローラ３）とのインターフェースを制御するブロックで、ＵＳＢプロトコルにおける物理層およびリンク層の制御を行う。ＤＳ・リンク制御部１４は、外部に接続されたファンクションデバイスから入力されたデータ（プロトコル層にかかる制御情報も含む）をデータバッファ／バッファ制御部１３へ、後述するファンクション情報はファンクション情報バッファ部１５へ、それぞれ出力している。また、
ＤＳ・リンク制御部１４は、ファンクションデバイスまたはＣＰＵ１６によって通信速度の異なる複数の転送方式であるＵＳＢ３．０と２．０の転送方式が切り替え可能となっている
「【００３５】
　
ファンクション情報バッファ部１５は、ファンクションデバイス（外部メモリーカードコントローラ３）から読み出されたファンクション情報（転送スピード情報）などを格納（保持）するメモリ
【００３６】
　デバイス情報取得手段、転送方式決定手段としてのＣＰＵ１６は、ＲＯＭから読み出した制御プログラムが実行される中央処理装置（Central Processing Unit）であり、本実施形態では、特に
ファンクション情報バッファ部１５に格納（保持）されたファンクション情報に基づいてＤＳ・リンク制御部１４とファンクションデバイス（外部メモリーカードコントローラ３）との間の転送方式を選択・決定する
第６　対比・判断
１　本願発明１について
（１）対比
　本願発明１と引用発明とを対比する。
ア　引用発明は、「ＵＳＢ規格に準拠した通信回路」である「ホストコントローラ５４」の「通信ポートＰ１〜Ｐ１０」及び「ＵＳＢケーブルＣ１」に接続される「ＵＳＢ（ユニバーサルシリアルバス）デバイス」に対して「バス給電」を制御するものであるから、全体としてみれば、「ＵＳＢ（ユニバーサルシリアルバス）」（「通信ポートＰ１〜Ｐ１０」及び「ＵＳＢケーブルＣ１」）の使用を管理する方法といい得るものである。
　よって、引用発明の「制御方法」は、本願発明１の「ユニバーサルシリアルバスを管理する方法」に相当する。
イ　引用発明において、「ホストコントローラ５４」の「通信ポートＰ１〜Ｐ１０」及び「ＵＳＢケーブルＣ１」に接続される「ＵＳＢ（ユニバーサルシリアルバス）デバイス」は、本願発明１の「デバイス」に相当し、また、そのような「デバイス」が接続される引用発明の「ホストコントローラ５４」は、本願発明１の「ユニバーサルシリアルバスハブコントローラ」に相当する。
　また、引用発明は、「　ホスト装置５１は、通信ポートＰ１〜Ｐ１０のいずれかにデバイスが接続されたとき、その接続を認識するためにデバイスとの間でネゴシエーションを行い、それにより得られた機器情報をレジスタ５４ａに格納し、」との構成を備え、また、「機器情報」を読み出すことによって表示される「ステータスウインドウ」には、「装置名」等が含まれることから、接続されている「デバイス」との間の「ネゴシエーション」によって「デバイス」の「装置名」等を含む「機器情報」を取得するものであって、この「ネゴシエーション」の前提となる「通信ポートＰ１〜Ｐ１０のいずれかにデバイスが接続されたとき」は、接続された「デバイス」を「検知」するステップを含むものである。
　以上から、引用発明は、本願発明１の「ユニバーサルシリアルバスハブコントローラに接続されたデバイスを検知するステップ」を備える。
ウ　引用発明の「機器情報」は、本願発明１の「ユニバーサルシリアルバス情報スキーム」に相当する。また、（「機器情報」を）取得することは、（「ユニバーサルシリアルバス情報スキーム」）を「フェッチ」することと同義である。
　また、引用発明において、接続されている「デバイス」との間の「ネゴシエーション」によって「デバイス」の「装置名」等を含む「機器情報」を取得するにあたり、通信に必要なハードウェア（「ホストコントローラ５４」、「通信ポートＰ１〜Ｐ１０」及び「ＵＳＢケーブルＣ１」）やソフトウェア（「通信プログラム」）である「通信リソース」を用いることは自明である。
　よって、引用発明は、本願発明１の「前記デバイスからユニバーサルシリアルバス情報スキームを、通信リソースを用いてフェッチするステップ」を備える。
エ　引用発明において、「機器情報」を取得することによって得られる（求められる）「（最大）消費電流」は、本願発明１の「前記デバイスの所要電力」に相当する。
　よって、引用発明は、本願発明１の「前記ユニバーサルシリアルバス情報スキームを通じて前記デバイスの所要電力を求めるステップ」を備える。
オ　引用発明は、「　ステータスウインドウＷ１の下方には、全ポートの要求消費電流と使用電流と許容電流と余裕電流とを表示するための表示欄が設けられ、ここで、要求消費電流は全ての通信ポートの要求値を合計した電流であり、使用電流は全てのポートの現在値を合計した電流であり、」との構成を備えていることから、「通信ポート」の「要求値」、すなわち、「通信ポート」を介して「ホストコントローラ５４」に接続されている「ＵＳＢデバイス」から取得した「機器情報」に含まれる「（最大）消費電流」を合計して、「全ポートの要求消費電流」を計算するステップをＭＰＵ５２のリソースを用いて実行することは自明である。そして、引用発明の「全ポートの要求消費電流」は、本願発明１の「前記ユニバーサルシリアルバスハブコントローラに接続された複数のデバイスの総電力消費」に相当する。
　よって、引用発明は、本願発明１の「前記ユニバーサルシリアルバスハブコントローラに接続された複数のデバイスの総電力消費を、処理リソースを用いて計算するステップ」を備える。
カ　引用発明において、「機器情報」に基づいて表示される「ステータスウインドウ」（Ｗ１〜Ｗ３）[HT3]は、本願発明１の「表示するユニバーサルシリアルバス情報スキームデータ」に相当する。
　また、引用発明は、「各通信ポートＰ１〜Ｐ１０に接続されている各デバイスの機器情報をＧＵＩ形式でディスプレイ５６に表示する表示プログラム」を備え、また、「ＧＵＩ形式」は、引用文献１の図１７、図１９及び図２０にあるように、複数の「項目欄」ないし「表示欄」（ロケーション）を含む所定の「データ表示配置」を備えるものといえ、「表示プログラム」は、前記「表示するユニバーサルシリアルバス情報スキームデータ」と、その「データ表示配置」を求めるステップを実行するものといえる。
　よって、引用発明は、本願発明１の「表示するユニバーサルシリアルバス情報スキームデータを求めるとともに、表示する該ユニバーサルシリアルバス情報スキームデータを表示するロケーションを含むデータ表示配置を求めるステップ」を備える。
キ　引用発明において、「ＭＰＵ５２」は、「表示プログラム」を実行することにより、「ＧＵＩ形式」（「データ表示配置」）による「ステータスウインドウ」（「前記ユニバーサルシリアルバス情報スキーム」）と、（「ステータスウインドウ」内の）「全ポートの要求消費電流」（「前記総電力消費」）と、（「ステータスウインドウ」内の「セレクタ欄」に設けられる）「各通信ポートに接続されるデバイスをオン状態又はオフ状態（使用状態又は未使用状態）のいずれかに切り替えるための選択ボタン」とを表示するように、「ホスト装置５１」の「ディスプレイ５６」に命令するステップを実行するものといえる。
　そして、引用発明の「各通信ポートに接続されるデバイスをオン状態又はオフ状態（使用状態又は未使用状態）のいずれかに切り替えるための選択ボタン」と、本願発明１の「前記デバイスを使用する優先度をユーザに選択させるユーザ設定」とは、「デバイスをユーザに選択させるユーザ設定」である点において共通し、また、引用発明の「ディスプレイ５６」と、本願発明１の「モニタスカラ（ｍｏｎｉｔｏｒ　ｓｃａｌａｒ）」とは、「表示命令受信手段」である点において共通する。また、「表示」の観点からすると、引用発明の「ディスプレイ５６」と、本願発明１の「前記ユニバーサルシリアルバスコントローラに接続された前記デバイス」とは「表示装置」である点において共通する。
　そうすると、引用発明と本願発明１の「該求められたデータ表示配置による前記ユニバーサルシリアルバス情報スキームと、前記総電力消費と、前記ユニバーサルシリアルバスハブコントローラに接続された前記デバイスを使用する優先度をユーザに選択させるユーザ設定とを、前記ユニバーサルシリアルバスコントローラに接続された前記デバイスに表示するようにモニタスカラ（ｍｏｎｉｔｏｒ　ｓｃａｌａｒ）に命令するステップ」とは、「該求められたデータ表示配置による前記ユニバーサルシリアルバス情報スキームと、前記総電力消費と、前記ユニバーサルシリアルバスハブコントローラに接続された前記デバイスをユーザに選択させるユーザ設定とを、表示装置に表示するように表示命令受信手段に命令するステップ」との構成を備える点において共通する。
ク　引用発明は、「ステータスウインドウＷ２」に表示される「選択ボタン」に関して、「通信ポートＰ１〜Ｐ４，Ｐ９のオンボタンが選択されると、デバイス６１〜６４，６７が要求する消費電流が電流供給回路５５から供給され、該デバイスにおけるＵＳＢファンクションが活性化され、一方、通信ポートＰ５，Ｐ８のオフボタンが選択されると、デバイス６５，６６が要求する消費電流が電流供給回路５５から供給されることはなく、該デバイス６５，６６のＵＳＢファンクションが停止（非活性化）され」るものであることから、「ホストコントローラ５４」（「前記ハブコントローラ」）に接続された複数の「ＵＳＢデバイス」のうち「選択ボタン」（「ユーザ設定」）に従って選択したデバイスに電力を分配するステップを実行するものといえる。
　よって、引用発明と本願発明１の「前記ハブコントローラに接続された前記複数のデバイスのうち前記ユーザ設定に従って使用することを選択したデバイスについての総電力消費に基づいて前記デバイスに電力を分配するとともに、前記ユニバーサルシリアルバス情報スキームと前記ユーザ設定とに基づいて前記複数のデバイスの各データ伝送レートでデータを伝送するステップ」とは、「前記ハブコントローラに接続された前記複数のデバイスのうち前記ユーザ設定に従って選択したデバイスに電力を分配するステップ」との構成を備える点において共通する。
（２）一致点・相違点
　したがって、本願発明１と引用発明との間には、以下の点において一致ないし相違する。
［一致点］
「　ユニバーサルシリアルバスを管理する方法であって、
　ユニバーサルシリアルバスハブコントローラに接続されたデバイスを検知するステップと、
　前記デバイスからユニバーサルシリアルバス情報スキームを、通信リソースを用いてフェッチするステップと、
　前記ユニバーサルシリアルバス情報スキームを通じて前記デバイスの所要電力を求めるステップと、
　前記ユニバーサルシリアルバスハブコントローラに接続された複数のデバイスの総電力消費を、処理リソースを用いて計算するステップと、
　表示するユニバーサルシリアルバス情報スキームデータを求めるとともに、表示する該ユニバーサルシリアルバス情報スキームデータを表示するロケーションを含むデータ表示配置を求めるステップと、
　該求められたデータ表示配置による前記ユニバーサルシリアルバス情報スキームと、前記総電力消費と、前記ユニバーサルシリアルバスハブコントローラに接続された前記デバイスをユーザに選択させるユーザ設定とを、表示装置に表示するように表示命令受信手段に命令するステップと、
　前記ハブコントローラに接続された前記複数のデバイスのうち前記ユーザ設定に従って選択したデバイスに電力を分配するステップと、
を含む、方法。」
［相違点］
＜相違点１＞
　「ユーザ設定」が、本願発明１は「前記ユニバーサルシリアルバスハブコントローラに接続された前記デバイスを使用する
優先度
＜相違点２＞
　「ユーザ設定」等を表示する「表示装置」が、本願発明１は、「前記ユニバーサルシリアルバスコントローラに接続された前記デバイス」であるのに対し、引用発明は、「ホスト装置５１」の「ディスプレイ５６」である点。
＜相違点３＞
　「表示命令受信手段」が、本願発明１は「モニタスカラ（ｍｏｎｉｔｏｒ　ｓｃａｌａｒ）」であるのに対し、引用発明は、「ホスト装置５１」の「ディスプレイ５６」である点。
＜相違点４＞
　「電力を分配するステップ」が、本願発明１は、「総電力消費に基づいて」すなわち「総電力消費」を考慮してなされるのに対し、引用発明においては当該事項について特定するものではない点。
＜相違点５＞
　本願発明１は、「電力を分配するステップ」にあたり「前記ユニバーサルシリアルバス情報スキームと前記ユーザ設定とに基づいて前記複数のデバイスの各データ伝送レートでデータを伝送するステップ」を備えるのに対し、引用発明は、当該ステップについて特定するものではない点。
（３）相違点についての判断
　事案に鑑みて、上記相違点２及び３について先に検討する。
　相違点２に係る本願発明１の構成、すなわち、「デバイス」の選択に関する「ユーザ設定」等を、選択の対象となる「前記ユニバーサルシリアルバスコントローラに接続された前記デバイス」に「表示する」ことは、引用文献１ないし４には記載されておらず、また、本願出願日前の技術常識であるともいえない。
　また、相違点３に関し、
仮に
　したがって、上記相違点１、４及び５について判断するまでもなく、本願発明１は、当業者であっても引用発明及び引用文献２ないし４に記載された技術的事項に基づいて容易に発明することができたものであるとはいえない。
２　本願発明２ないし１３について
　本願発明２ないし１３は、相違点２及び３に係る本願発明１の構成を備えるものであるから、本願発明１と同じ理由により、当業者であっても、引用発明、引用文献２ないし４に記載された技術的事項に基づいて容易に発明することができたものとはいえない。
第７　原査定についての判断
　令和３年２月１日付け手続補正により補正された請求項１ないし１３（本願発明１ないし１３）は、上記相違点２及び３に係る本願発明１の構成を備えるものとなり、上述したとおり、上記引用文献１に記載された発明（引用発明）及び上記引用文献２に記載された技術的事項に基づいて、当業者が容易に発明することができたものではない。
　したがって、原査定を維持することはできない。
第８　当審拒絶理由について
１　理由１（サポート要件違反）について
　令和３年２月１日付けの手続補正により、本願発明１ないし１３に係る発明において、「デバイスの使用の可否をユーザに選択させるユーザ設定」との記載は、「前記デバイスを使用する優先度をユーザに選択させるユーザ設定」という、本願明細書の段落【００３０】に基づく記載に補正された。
　よって、この拒絶の理由は解消した。
２　理由２（明確性要件違反）について
　令和３年２月１日付けの手続補正により、本願発明１ないし１３の記載から「オンスクリーン表示」、「スクリーン」及び／又は「オンスクリーンメニュー」との語が削除されるとともに、表示先が「前記ユニバーサルシリアルバスコントローラに接続された前記デバイス」であることが明確となった。
　よって、この理由は解消した。
第７　むすび
　以上のとおり、本願発明１ないし１３は、当業者が引用発明及び引用文献２ないし４に記載された技術的事項に基づいて容易に発明をすることができたものではない。
　したがって、原査定の理由によっては、本願を拒絶することはできない。
　また、他に本願を拒絶すべき理由を発見しない。
　よって、結論のとおり審決する。